(57)【要約】【課題】パレット上に数段に積載された荷物の荷崩れを防止するだけでなく、結束された荷物群がパレットから脱落（荷滑り）することも同時に防止する。【解決手段】パレット２０に固定される被固定部３と、該被固定部を該パレットに固定した際に該パレット上に突出するシート支持ユニット５と、該シート支持ユニットにより一端部を支持された可撓性を有した荷崩れ防止シート１０と、を備え、荷崩れ防止シートの先端部とシート支持ユニットには夫々両者を着脱自在に結合する結合手段７、１１が配置されている。【選択図】図２
2009067414.tif 000002
【特許請求の範囲】
【請求項１】
パレット上に積載された荷物の荷崩れを防止しつつ、該パレット上に固定する荷崩れ防止装置であって、
前記パレットに固定される被固定部と、該被固定部を該パレットに固定した際に該パレット上に突出するシート支持ユニットと、該シート支持ユニットにより支持された可撓性を有した荷崩れ防止シートと、を備え、
前記荷崩れ防止シートの先端部と前記シート支持ユニットには夫々両者を着脱自在に結合する結合手段が配置されていることを特徴とする荷崩れ防止装置。
【請求項２】
前記荷崩れ防止シートは、前記シート支持ユニット内に収納可能に構成されていることを特徴とする請求項１に記載の荷崩れ防止装置。
【請求項３】
前記荷崩れ防止シートは、巻き取り軸としての前記シート支持ユニットの外周面に巻き付いた状態で収納されるように構成されていることを特徴とする請求項１に記載の荷崩れ防止装置。
【請求項４】
前記荷崩れ防止シートにはバネ線材、或いはバネ帯体が一体化されており、該バネ線材、或いはバネ帯体は前記荷崩れ防止シートを巻き取り方向に付勢することを特徴とする請求項１、２又は３に記載の荷崩れ防止装置。
【発明の詳細な説明】
【技術分野】
【０００１】
本発明はパレット上に積載された荷物が荷崩れしないように結束するだけでなく、結束した荷物全体がパレット上から荷滑りしないように固定することができる荷崩れ防止装置に関する。
【背景技術】
【０００２】
パレット上に複数段状に積載された複数の荷物の荷崩れを防止する手段として、従来、合成樹脂製の薄肉ストレッチフィルム材をパレット上の荷物群の周囲に幾重にも巻回して固定することが行われている。しかしながら、上記従来の手段では、薄肉フィルム材の装着や取り外しの際に、作業者は積載された荷物群の周りを何度も周回せねばならず、手間が掛かり煩わしく、且つ、時間を要していた。更に取り外した薄肉フィルム材は再度利用できないため廃棄処分され、無駄なゴミを発生させる原因となっている。
このような合成樹脂製の薄肉ストレッチフィルム材からなる荷崩れ防止具の課題を解決するものとしてエコバンド（（株）エコシステム：商品名）等が提案されている。エコバンドは、パレットに積載された荷物群にエコバンドを巻回し、マジックテープ（登録商標）により固定することにより荷崩れを防止するが、作業性が悪く一人では巻きにくい。また使用後にエコバンドを巻き取りながら収納しているが、時間がかかり嵩張る。更に、パレットに積載された荷物間は結束状態に固定されているものの、パレットと荷物群との間は固定がなされておらず荷滑りを起こし易いという問題があった。
特許第２６０５２２１号、特開２００６−１１１２８８公報、特開２００６−１３１２３５公報、実用新案登録第３０１１５０４号にも夫々パレット上における荷物の結束手段が開示されているが、パレット上からの脱落（荷滑り）を防止する構成は開示されていない。
【特許文献１】特許第２６０５２２１号
【特許文献２】特開２００６−１１１２８８公報
【特許文献３】特開２００６−１３１２３５公報
【特許文献４】実用新案登録第３０１１５０４号
【発明の開示】
【発明が解決しようとする課題】
【０００３】
本発明は上記に鑑みてなされたものであり、パレット上に数段に積載された荷物の荷崩れを防止するだけでなく、結束された荷物群がパレットから脱落することも同時に防止することができる荷崩れ防止装置を提供することを目的としている。
【課題を解決するための手段】
【０００４】
上記目的を達成するため、請求項１の発明は、パレット上に積載された荷物を該パレットに固定しつつ、荷崩れを防止する荷崩れ防止装置であって、前記パレットに固定される被固定部と、該被固定部を該パレットに固定した際に該パレット上に突出するシート支持ユニットと、該シート支持ユニットにより一端部を支持された可撓性を有した荷崩れ防止シートと、を備え、前記荷崩れ防止シートの先端部と前記シート支持ユニットには夫々両者を着脱自在に結合する結合手段が配置されていることを特徴とする。
請求項２の発明は、請求項１において、前記荷崩れ防止シートは、前記シート支持ユニット内に収納可能に構成されていることを特徴とする。
請求項３の発明は、請求項１において、前記荷崩れ防止シートは、巻き取り軸としての前記シート支持ユニットの外周面に巻き付いた状態で収納されるように構成されていることを特徴とする。
請求項４の発明は、請求項１、２又は３において、前記荷崩れ防止シートにはバネ線材、或いはバネ帯体が一体化されており、該バネ線材、或いはバネ帯体は前記荷崩れ防止シートを巻き取り方向に付勢することを特徴とする。
【発明の効果】
【０００５】
本発明によれば、パレットに固定される被固定部と、該被固定部を該パレットに固定した際に該パレット上に突出するシート支持ユニットと、該シート支持ユニットにより一端部を支持された可撓性を有した荷崩れ防止シートと、を備え、荷崩れ防止シートの先端部とシート支持ユニットには夫々両者を着脱自在に結合する結合手段が配置されているため、パレット上に数段に積載された荷物の荷崩れを防止するだけでなく、結束された荷物群がパレットから脱落（荷滑り）することも同時に防止することができる。
【発明を実施するための最良の形態】
【０００６】
以下、本発明の荷崩れ防止装置を図面に示した実施の形態により詳細に説明する。
図１は本発明の一実施形態に係る荷崩れ防止装置の構成（シート引出し状態）を示す図であり、図２（ａ）乃至（ｃ）は荷崩れ防止装置の使用状態の説明図である。
荷崩れ防止装置１は、パレット２０上に積載された荷物２５をパレットに固定しつつ、荷崩れを防止する機能を有する。荷崩れ防止装置１は、パレット２０側に設けた固定部２１に固定される被固定部３と、被固定部３をパレットに固定した際にパレット上に突出するシート支持ユニット５と、を備えている。
この例では、パレットの固定部２１はパレットの角隅部近傍の上面に設けた矩形穴であり、被固定部３はこの矩形穴内に整合して嵌合する矩形の突起である。シート支持ユニット５の軸方向一端部（底部）に被固定部３が一体化されており、被固定部３を固定部２１内に嵌合することにより、シート支持ユニット５はパレット上面に安定して（回転せずに）立設した状態となる。なお、必要に応じて被固定部３が固定部２１から脱落することを防止する手段を講じても良い。
【０００７】
この実施形態に係るシート支持ユニット５は、内部に回転自在な巻き取り軸８を有した中空の収納部本体６と、巻き取り軸８により一端部を支持され且つ巻き取り軸外周に巻き取られた状態で収納部本体６内に収納される可撓性を有した荷崩れ防止シート（以下、シート、という）１０と、を備えている。
シート１０は、収納部本体６側面に設けた開口部（例えば、軸方向へ延びるスリット）６ａから外部に引出し自在に構成されており、シートの先端部と収納部本体には夫々両者を着脱自在に結合する結合手段１１、７が配置されている。シート１０は十分な強度と、可撓性と、長さを有したものとする。できれば、図示しないゼンマイ等のバネ手段によって巻き取り軸を弾性付勢し、シート１０を収納部本体６内に引き込む様に構成する。或いは、シート自体に伸縮性を付与して荷物との密着性、荷物保持力を高めるようにしてもよい。
結合手段１１、７は、どのような構成であってもよいが、この例では結合手段１１としてバネ性を有した嵌合片を用い、相手側の結合手段７としてはこの嵌合片を嵌合させる穴を有した部材とする。
シート１０の先端部には摘み部１２を設けて、開口部６ａからシートを引出し易いように構成する。
【０００８】
図１（ａ）に示すようにシート支持ユニット５の一端部に設けた被固定部３をパレット２０の角隅部上面に設けた固定部２１内に嵌合することによりシート支持ユニット５をパレット上面に立設し、次いで（ｂ）に示すようにパレット２０上の他の面上に荷物２５を複数個、多段状に積載する。この状態で、摘み部１２を把持して収納部本体６の開口６ａからシート１０を引出して荷物群の外周全体にかけて被着させ、その後（ｃ）に示すようにシート先端の結合手段１１を収納部本体６に設けた結合手段７に対して結合させる。荷物群の外周にシートを被着させる作業（周回作業）は一回のみで済む。
荷崩れ防止シート１０は収納部本体６の長手方向ほぼ全長に亘る長さを有した一枚の幅広のシートとしてもよいし、複数の幅狭のシートとしてもよい。複数の幅狭のシートから構成することにより、パレット上の荷物の積載高さに応じて使用する幅狭シートを選択して荷物群外周を結束することができる。この場合には、幅狭シート毎にその先端部に摘み部１２を設ける。
【０００９】
図３（ａ）及び（ｂ）はシート支持ユニット５の一例を示す全体図、及び要部構成図（上端部横断面図）であり、このシート支持ユニット５は円筒体からなる収納部本体６内に巻き取り軸８を回転自在に支持しており、この巻き取り軸８の一端部にはレバー９を支持しておく。巻き取り軸８は収納部本体６の長手方向両端面を塞ぐ部材６ｂによって回転自在に軸支される。レバー９は、これを巻き取り方向へ手動回転させることにより、開口６ａから引き出された状態にあるシート１０を収納部本体内に巻き取ることができる。レバー９は、巻き取り軸８の一端に対して着脱自在に取り付けても良い。
なお、この実施形態では、収納部本体６を中空円筒体としたが、収納部本体自体を巻き取り軸として構成し、その外周にシートを巻き取るように構成してもよい。この場合には、シートを巻き取った状態では、収納部本体の外周にロール状のシートが露出した状態となる。
【００１０】
次に、シートの巻き取り方法としては巻き取り軸に巻き取りバネを設けて巻き取り方向へ常時付勢するように構成したり、レバー９により手動回転させる方法の他に、シート自体にバネ性を有したバネ線材（ワイヤ）、或いはバネ帯体１５を一体化することにより（図１）、バネ線材等１５によってシートを巻き取り方向に常時付勢するように構成してもよい。この場合、引き出された状態にあるシートから引張り力を解除することによりバネ線材等による復帰力によってシートは収納部本体側へ巻き取られる。
図４（ａ）（ｂ）及び（ｃ）は、バネ線材等１５によってシート自体が巻き取り方向への復帰力を有したシートの巻き取り、引出し状態を示しており、外力を加えない場合には（ａ）に示したように巻き取り状態にあり、引き出す場合には（ｂ）のようになり、巻き取る場合には（ｃ）のようになる。
【００１１】
以上のように本発明の荷崩れ防止装置によれば、荷崩れ防止装置自体をパレットに固定することからパレットと荷物上での荷滑りを防止できる。
また、荷崩れ防止シート１０を巻き取ることでコンパクトな収納が可能となり、また伸縮性のシートを使用することで荷物の量・大きさに自在に対応することができ、作業性も改善できる。
また、シートにワイヤ等を組み込むことによって復元力が強くなり、より早く巻き取り、収納することができ、さらに強度アップを図ることができる。
【図面の簡単な説明】
【００１２】
【図１】本発明の一実施形態に係る荷崩れ防止装置の構成（シート引出し状態）を示す図である。
【図２】（ａ）〜（ｃ）は本発明の荷崩れ防止装置の使用状態の説明図である。
【図３】（ａ）及び（ｂ）はシート支持ユニットの一例を示す全体図、及び要部構成図である。
【図４】（ａ）〜（ｃ）はバネ線材等によってシート自体が巻き取り方向への復帰力を有したシートの巻き取り、引出し状態を示した図である。
【符号の説明】
【００１３】
１…荷崩れ防止装置、３…被固定部、５…シート支持ユニット、６…収納部本体、６ａ…開口部、７、１１…結合手段、８…巻き取り軸、９…レバー、１０…荷崩れ防止シート、１５…バネ線材等、２０…パレット、２１…固定部、２５…荷物。
【図１】
2009067414.tif 000003
【図２】
2009067414.tif 000004
【図３】
2009067414.tif 000005
【図４】
2009067414.tif 000006